(57)【特許請求の範囲】
【請求項１】
複数の第１コンタクトと、前記複数の第１コンタクトを保持する第１ハウジングと、を有し、第１基板に搭載される第１コネクタ部分と、
複数の第２コンタクトと、前記複数の第２コンタクトを保持する第２ハウジングと、を有し、第２基板に搭載される第２コネクタ部分と、
前記第１コネクタ部分の前記複数の第１コンタクトと前記第２コネクタ部分の前記複数の第２コンタクトを夫々接続するための複数の第３コンタクトと、前記複数の第３コンタクトを保持する第３ハウジングと、を有する第３コネクタ部分と、
を備え、
前記第１コネクタ部分と前記第２コネクタ部分が並べられる方向としての第１方向における、前記第１コネクタ部分と前記第２コネクタ部分との間の位置ずれを吸収する第１位置ずれ吸収手段と、
前記第３コネクタ部分の前記複数の第３コンタクトが並べられる方向としての第２方向における、前記第１コネクタ部分と前記第２コネクタ部分との間の位置ずれを吸収する第２位置ずれ吸収手段と、
を更に備え、
前記第１コネクタ部分が、前記第１位置ずれ吸収手段又は前記第２位置ずれ吸収手段の一方として機能し、
前記第３コネクタ部分が、前記第１位置ずれ吸収手段又は前記第２位置ずれ吸収手段の他方として機能する、
基板対基板用コネクタ。
【請求項２】
請求項１に記載の基板対基板用コネクタであって、
前記第１コネクタ部分が前記第１位置ずれ吸収手段として機能し、
前記第３コネクタ部分が前記第２位置ずれ吸収手段として機能する、
基板対基板用コネクタ。
【請求項３】
請求項２に記載の基板対基板用コネクタであって、
前記第３コネクタ部分の前記第３ハウジングは、前記第１コネクタ部分側に配置される第１コネクタ部分側ハウジングと、前記第２コネクタ部分側に配置される第２コネクタ部分側ハウジングと、を有し、
前記第３コネクタ部分の各第３コンタクトは、前記第１コネクタ部分側ハウジングに固定される第３コンタクト第１固定部と、前記第２コネクタ部分側ハウジングに固定される第３コンタクト第２固定部と、前記第３コンタクト第１固定部と前記第３コンタクト第２固定部を連結する第３コンタクト連結部と、を有し、
前記第３コネクタ部分の各第３コンタクトの前記第３コンタクト連結部は板状であり、
前記第３コネクタ部分の各第３コンタクトの前記第３コンタクト連結部の板厚方向は、前記第２方向に対して実質的に平行である、
基板対基板用コネクタ。
【請求項４】
請求項３に記載の基板対基板用コネクタであって、
前記第３コネクタ部分の前記第３ハウジングは、前記第１コネクタ部分側ハウジングと前記第２コネクタ部分側ハウジングの前記第２方向における相対的な変位を所定範囲内に制限する制限機構を備えている、
基板対基板用コネクタ。
【請求項５】
請求項２〜４の何れかに記載の基板対基板用コネクタであって、
前記第１コネクタ部分の各第１コンタクトは、前記第１基板に固定される第１コンタクト第１固定部と、前記第３コネクタ部分の各第３コンタクトに接続される第１コンタクト接続部と、前記第１コンタクト第１固定部と前記第１コンタクト接続部との間に介在され、前記第１方向へ蛇腹状に折り重なって形成される第１コンタクト蛇腹部と、を有する、
基板対基板用コネクタ。
【請求項６】
請求項５に記載の基板対基板用コネクタであって、
前記第１コネクタ部分の前記第１ハウジングは、前記第１基板に固定される第１ハウジング固定部と、前記第１ハウジング固定部に対して前記第１方向に相対変位可能な第１ハウジング変位部と、を有し、
前記第１コネクタ部分の各第１コンタクトは、前記第１ハウジング変位部に固定される第１コンタクト第２固定部を有し、
前記第１コンタクト第２固定部は、前記第１コンタクト接続部と前記第１コンタクト蛇腹部の間に配置されている、
基板対基板用コネクタ。
【請求項７】
請求項６に記載の基板対基板用コネクタであって、
前記第１コネクタ部分の前記第１ハウジングには、前記第１コネクタ部分の各第１コンタクトの前記第１コンタクト蛇腹部を収容する蛇腹部収容室が形成されている、
基板対基板用コネクタ。
【請求項８】
請求項７に記載の基板対基板用コネクタであって、
前記蛇腹部収容室は、前記第１コネクタ部分の前記第１ハウジングの前記第１ハウジング変位部に形成されている、
基板対基板用コネクタ。
【請求項９】
請求項６〜８の何れかに記載の基板対基板用コネクタであって、
前記第１コネクタ部分は、前記第１コネクタ部分の前記第１ハウジングの前記第１ハウジング固定部を前記第１基板に対して固定するための補助金具を更に備え、
前記補助金具は、前記第１コネクタ部分の前記第１ハウジングの前記第１ハウジング変位部が前記第１基板から離れる方向へ変位するのを防止する変位規制部を有する、
基板対基板用コネクタ。
【請求項１０】
請求項５〜９の何れかに記載の基板対基板用コネクタであって、
前記第１コネクタ部分の前記第１ハウジングには、前記第１コネクタ部分の各第１コンタクトの前記第１コンタクト蛇腹部間を隔てる第１ハウジング隔壁部が形成されている、
基板対基板用コネクタ。
【請求項１１】
請求項１０に記載の基板対基板用コネクタであって、
各第１ハウジング隔壁部は、前記第１コネクタ部分の各第１コンタクトの前記第１コンタクト蛇腹部が前記第１コネクタ部分の前記第１ハウジングから外部へ露出しないように形成されている、
基板対基板用コネクタ。
【請求項１２】
請求項１〜１１の何れかに記載の基板対基板用コネクタであって、
前記第１コネクタ部分の各第１コンタクトと、前記第３コネクタ部分の各第３コンタクトとの接続形態として、相互間の相対変位を禁止するリジド接続が採用されている、
基板対基板用コネクタ。
【請求項１３】
請求項１〜１２の何れかに記載の基板対基板用コネクタであって、
前記第１コネクタ部分の各第１コンタクトと、前記第３コネクタ部分の各第３コンタクトと、を接続するに際し、
前記第３コネクタ部分の各第３コンタクトを、前記第１コネクタ部分の各第１コンタクトに対して位置決めするための位置決め機構を更に備えた、
基板対基板用コネクタ。
【請求項１４】
請求項１〜１３の何れかに記載の基板対基板用コネクタであって、
前記第１基板に対して接触する前記第１コネクタ部分の面としての第１基板搭載面と、前記第２基板に対して接触する前記第２コネクタ部分の面としての第２基板搭載面とは、
前記第１コネクタ部分と前記第２コネクタ部分を前記第３コネクタ部分で連結した状態において、略同一平面内に存在する、
基板対基板用コネクタ。
【発明の詳細な説明】
【技術分野】
【０００１】
本発明は、基板対基板用コネクタに関する。
【背景技術】
【０００２】
この種の技術として、特許文献１は、本願の図１８及び図１９に示すように、一方の基板１００と他方の基板１０１を電気的に接続するための３ピースコネクタ１０２を開示している。３ピースコネクタ１０２は、一方の基板１００に実装されるコネクタ１０３と、他方の基板１０１に実装されるコネクタ１０４と、コネクタ１０３及びコネクタ１０４に接続される連結コネクタ１０５との３つのコネクタから構成されている。連結コネクタ１０５は、本願の図１９に示すように、ハウジング１０６及びハウジング１０７と、ハウジング１０６とハウジング１０７によって保持される複数のコンタクト１０８から構成されている。即ち、ハウジング１０６とハウジング１０７は、複数のコンタクト１０８を介して連結されている。また、ハウジング１０６とハウジング１０７の間には隙間１０９が形成されている。
【０００３】
複数のコンタクト１０８は、本願の図１９に示すように、コネクタ１０３のコンタクト１０３ａに接触する接触部１０８ａと、コネクタ１０４のコンタクト１０４ａに接触する接触部１０８ｂを有している。この接触部１０８ａ及び接触部１０８ｂは、それぞれ、一方端部１０８ｃ及び他方端部１０８ｄの近傍に位置している。そして、一方端部１０８ｃ及び他方端部１０８ｄは、接触部１０８ａ及び接触部１０８ｂに対して、上方に折り曲げられて壁部１０６ａ及び防塵壁１０７ａに保持されている。
【０００４】
以上の構成で、連結コネクタ１０５に接続されるコネクタ１０３とコネクタ１０４同士に位置ずれが生じている場合でも、ハウジング１０６とハウジング１０７を揺動させれば、その位置ずれを吸収することができるとしている。
【先行技術文献】
【特許文献】
【０００５】
【特許文献１】特開２００８−７１６９８号公報
【発明の概要】
【発明が解決しようとする課題】
【０００６】
ところで、一方端部１０８ｃ及び他方端部１０８ｄが接触部１０８ａ及び接触部１０８ｂに対して上方に折り曲げられている構成から推測するに、本願の図１９において、コンタクト１０８は板状であって、コンタクト１０８の接触部１０８ａや接触部１０８ｂは、連結コネクタ１０５がコネクタ１０３及びコネクタ１０４に取り付けられた状態で、一方の基板１００や他方の基板１０１と平行になっているものと考えるのが合理的である。だとすると、本願の図１８において、３ピースコネクタ１０２は、コネクタ１０３とコネクタ１０４同士の位置ずれのうち図中"X"で示す方向のものは吸収することができない。なぜなら、コンタクト１０８の図中"X"で示す方向での撓み変形には、板幅が三乗で効いてくるからである。
【０００７】
本願発明の目的は、特許文献１に内在する上記の問題点に鑑み、一層融通の効く基板対基板用コネクタを提供することにある。
【課題を解決するための手段】
【０００８】
本願発明の観点によれば、基板対基板用コネクタは、複数の第１コンタクトと、前記複数の第１コンタクトを保持する第１ハウジングと、を有し、第１基板に搭載される第１コネクタ部分と、複数の第２コンタクトと、前記複数の第２コンタクトを保持する第２ハウジングと、を有し、第２基板に搭載される第２コネクタ部分と、前記第１コネクタ部分の前記複数の第１コンタクトと前記第２コネクタ部分の前記複数の第２コンタクトを夫々接続するための複数の第３コンタクトと、前記複数の第３コンタクトを保持する第３ハウジングと、を有する第３コネクタ部分と、を備える。基板対基板用コネクタは、前記第１コネクタ部分と前記第２コネクタ部分が並べられる方向としての第１方向における、前記第１コネクタ部分と前記第２コネクタ部分との間の位置ずれを吸収する第１位置ずれ吸収手段と、前記第３コネクタ部分の前記複数の第３コンタクトが並べられる方向としての第２方向における、前記第１コネクタ部分と前記第２コネクタ部分との間の位置ずれを吸収する第２位置ずれ吸収手段と、を更に備えた。前記第１コネクタ部分が、前記第１位置ずれ吸収手段又は前記第２位置ずれ吸収手段の一方として機能し、前記第３コネクタ部分が、前記第１位置ずれ吸収手段又は前記第２位置ずれ吸収手段の他方として機能する。
【００１０】
好ましくは、前記第１コネクタ部分が前記第１位置ずれ吸収手段として機能し、
前記第３コネクタ部分が前記第２位置ずれ吸収手段として機能する。
【００１１】
好ましくは、前記第３コネクタ部分の前記第３ハウジングは、前記第１コネクタ部分側に配置される第１コネクタ部分側ハウジングと、前記第２コネクタ部分側に配置される第２コネクタ部分側ハウジングと、を有する。前記第３コネクタ部分の各第３コンタクトは、前記第１コネクタ部分側ハウジングに固定される第３コンタクト第１固定部と、前記第２コネクタ部分側ハウジングに固定される第３コンタクト第２固定部と、前記第３コンタクト第１固定部と前記第３コンタクト第２固定部を連結する第３コンタクト連結部と、を有する。前記第３コネクタ部分の各第３コンタクトの前記第３コンタクト連結部は板状である。前記第３コネクタ部分の各第３コンタクトの前記第３コンタクト連結部の板厚方向は、前記第２方向に対して実質的に平行である。
【００１２】
好ましくは、前記第３コネクタ部分の前記第３ハウジングは、前記第１コネクタ部分側ハウジングと前記第２コネクタ部分側ハウジングの前記第２方向における相対的な変位を所定範囲内に制限する制限機構を備えている。
【００１３】
好ましくは、前記第１コネクタ部分の各第１コンタクトは、前記第１基板に固定される第１コンタクト第１固定部と、前記第３コネクタ部分の各第３コンタクトに接続される第１コンタクト接続部と、前記第１コンタクト第１固定部と前記第１コンタクト接続部との間に介在され、前記第１方向へ蛇腹状に折り重なって形成される第１コンタクト蛇腹部と、を有する。
【００１４】
好ましくは、前記第１コネクタ部分の前記第１ハウジングは、前記第１基板に固定される第１ハウジング固定部と、前記第１ハウジング固定部に対して前記第１方向に相対変位可能な第１ハウジング変位部と、を有する。前記第１コネクタ部分の各第１コンタクトは、前記第１ハウジング変位部に固定される第１コンタクト第２固定部を有する。前記第１コンタクト第２固定部は、前記第１コンタクト接続部と前記第１コンタクト蛇腹部の間に配置されている。
【００１５】
好ましくは、前記第１コネクタ部分の前記第１ハウジングには、前記第１コネクタ部分の各第１コンタクトの前記第１コンタクト蛇腹部を収容する蛇腹部収容室が形成されている。
【００１６】
好ましくは、前記蛇腹部収容室は、前記第１コネクタ部分の前記第１ハウジングの前記第１ハウジング変位部に形成されている。
【００１７】
好ましくは、前記第１コネクタ部分は、前記第１コネクタ部分の前記第１ハウジングの前記第１ハウジング固定部を前記第１基板に対して固定するための補助金具を更に備える。前記補助金具は、前記第１コネクタ部分の前記第１ハウジングの前記第１ハウジング変位部が前記第１基板から離れる方向へ変位するのを防止する変位規制部を有する。
【００１８】
好ましくは、前記第１コネクタ部分の前記第１ハウジングには、前記第１コネクタ部分の各第１コンタクトの前記第１コンタクト蛇腹部間を隔てる第１ハウジング隔壁部が形成されている。
【００１９】
好ましくは、各第１ハウジング隔壁部は、前記第１コネクタ部分の各第１コンタクトの前記第１コンタクト蛇腹部が前記第１コネクタ部分の前記第１ハウジングから外部へ露出しないように形成されている。
【００２０】
好ましくは、前記第１コネクタ部分の各第１コンタクトと、前記第３コネクタ部分の各第３コンタクトとの接続形態として、相互間の相対変位を禁止するリジド接続が採用されている。
【００２１】
好ましくは、前記第１コネクタ部分の各第１コンタクトと、前記第３コネクタ部分の各第３コンタクトと、を接続するに際し、前記第３コネクタ部分の各第３コンタクトを、前記第１コネクタ部分の各第１コンタクトに対して位置決めするための位置決め機構を更に備えた。
【００２２】
好ましくは、前記第１基板に対して接触する前記第１コネクタ部分の面としての第１基板搭載面と、前記第２基板に対して接触する前記第２コネクタ部分の面としての第２基板搭載面とは、前記第１コネクタ部分と前記第２コネクタ部分を前記第３コネクタ部分で連結した状態において、略同一平面内に存在する。
【発明の効果】
【００２３】
本願発明によれば、前記第１コネクタ部分と前記第２コネクタ部分との間における、前記第１方向の位置ずれと前記第２方向の位置ずれを同時に吸収することができ、もって、一層融通の効く基板対基板用コネクタが実現される。
【図面の簡単な説明】
【００２４】
【図１】図１は、基板対基板用コネクタの連結前における斜視図である。（第１実施形態）
【図２】図２は、ベースコネクタ部分の斜視図である。（第１実施形態）
【図３】図３は、図２の一部拡大図である。（第１実施形態）
【図４】図４は、ベースコネクタ部分のベースハウジングの斜視図である。（第１実施形態）
【図５】図５（ａ）はベースコネクタ部分のホールドダウンの斜視図であり、図５（ｂ）はベースコネクタ部分のホールドダウンの他の角度から見た斜視図である。（第１実施形態）
【図６】図６は、図３の一部切り欠き斜視図であって、一番手前のベースコンタクトは省略している。（第１実施形態）
【図７】図７は、ベースコンタクトの斜視図である。（第１実施形態）
【図８】図８は、図３の一部切り欠き斜視図である。（第１実施形態）
【図９】図９は、図３のIX-IX線矢視断面図である。（第１実施形態）
【図１０】図１０は、連結コネクタ部分を表側から見た斜視図である。（第１実施形態）
【図１１】図１１は、連結コネクタ部分を裏側から見た斜視図である。（第１実施形態）
【図１２】図１２は、図１１の一部拡大図であって、いくつかの連結コンタクトは省略している。（第１実施形態）
【図１３】図１３は連結コンタクトの斜視図である。（第１実施形態）
【図１４】図１４（ａ）は、図９に類似する図であって、蛇腹部の変形前の状態を示し、図１４（ｂ）は、図９に類似する図であって、蛇腹部の変形後の状態を示す。（第１実施形態）
【図１５】図１５（ａ）は、連結コネクタ部分の底面図であって、連結コンタクトの変形前の状態を示し、図１５（ｂ）は、連結コネクタ部分の底面図であって、連結コンタクトの変形後の状態を示す。（第１実施形態）
【図１６】図１６は、連結コネクタ部分の平面図である。（第２実施形態）
【図１７】図１７は、ベースコンタクトの斜視図である。（第３実施形態）
【図１８】図１８は、特許文献１の図１４に相当する図である。
【図１９】図１９は、特許文献１の図１６に相当する図である。
【発明を実施するための形態】
【００２５】
（第１実施形態）
以下、図１〜図１５を参照しつつ、本願発明の第１実施形態を説明する。
【００２６】
図１に示すように、例えば液晶ディスプレイの筐体内には、複数のバックライト基板１が相互に重複なく並べられている。複数のバックライト基板１は、各バックライト基板１のディスプレイ前面側の面である素子搭載面２（コネクタ搭載面）が略同一平面内となるように並べられている。各バックライト基板１の素子搭載面２には、多数の発光素子３が取り付けられている。そして、本実施形態の基板対基板用コネクタ４は、隣り合うバックライト基板１同士を電気的に接続するのに用いられている。
【００２７】
ここで説明の都合上、図１に示す２枚のバックライト基板１のうち一方には符号"A"を付してバックライト基板１A（第１基板）と称する。同様に、バックライト基板１Aの素子搭載面２は素子搭載面２Aと称する。図１に示す２枚のバックライト基板１のうち他方には符号"B"を付してバックライト基板１B（第２基板）と称する。同様に、バックライト基板１Bの素子搭載面２は素子搭載面２Bと称する。
【００２８】
図１に示すように、基板対基板用コネクタ４は、ベースコネクタ部分５A（第１コネクタ部分）と、ベースコネクタ部分５B（第２コネクタ部分）と、連結コネクタ部分６（第３コネクタ部分）と、を主たる構成として備えている。ベースコネクタ部分５Aは、バックライト基板１Aの素子搭載面２Aに搭載されている。ベースコネクタ部分５Bは、バックライト基板１Bの素子搭載面２Bに搭載されている。そして、連結コネクタ部分６は、ベースコネクタ部分５Aとベースコネクタ部分５Bを相互に連結するのに用いられる。なお、図１には、連結コネクタ部分６を用いてベースコネクタ部分５Aとベースコネクタ部分５Bを連結する直前の状態を示している。
【００２９】
本実施形態においてベースコネクタ部分５Aとベースコネクタ部分５Bは完全同一物である。即ち、ベースコネクタ部分５Aの構成や作動の説明は、そっくりそのままベースコネクタ部分５Bにも言えることである。従って、重複説明を避けるべく、以下では、主としてベースコネクタ部分５Aの構成や作動を説明することにし、必要な場合のみベースコネクタ部分５Bについても説明することにする。
【００３０】
図１及び図２に示すように、ベースコネクタ部分５Aは、複数のベースコンタクト７（第１コンタクト）と、複数のベースコンタクト７を保持するベースハウジング８（第１ハウジング）と、を主たる構成として備えている。同様に、連結コネクタ部分６は、複数の連結コンタクト９（第３コンタクト）と、複数の連結コンタクト９を保持する連結ハウジング１０（第３ハウジング）と、を主たる構成として備えている。
【００３１】
ここで、説明の便宜上、図１において、「コネクタ並列方向（第１方向）」と「基板直交方向」、「コンタクト並列方向（第２方向）」を定義する。「コネクタ並列方向」は、隣り合うベースコネクタ部分５Aとベースコネクタ部分５Bが並べられる方向である。「コネクタ並列方向」のうち、ベースコネクタ部分５Aから見て、隣り合うベースコネクタ部分５Bを臨む方向を「コネクタ対向方向」とし、隣り合うベースコネクタ部分５Bと反対側を臨む方向を「コネクタ反対向方向」と称する。「基板直交方向」は、バックライト基板１Aの素子搭載面２Aに対して直交する方向である。「基板直交方向」のうち、バックライト基板１Aの素子搭載面２Aから離れる方向を「基板離間方向」とし、バックライト基板１Aの素子搭載面２Aに近づく方向を「基板近接方向」とする。「コンタクト並列方向」は、連結コネクタ部分６の連結コンタクト９が並べられる方向である。換言すれば、「コンタクト並列方向」は、ベースコネクタ部分５Aのベースコンタクト７が並べられる方向である。「コンタクト並列方向」のうち、ベースコネクタ部分５Aの中央に近づく方向を「中央近接方向」とし、ベースコネクタ部分５Aの中央から離れる方向を「中央離間方向」とする。以上に定義した各方向は、図１に示す個別の構成要素に対してそっくりそのまま適用されるものとする。
【００３２】
さて、基板対基板用コネクタ４は、図１に示すように、コネクタ並列方向位置ずれ吸収機構P（第１位置ずれ吸収手段）とコンタクト並列方向位置ずれ吸収機構Q（第２位置ずれ吸収手段）を更に備えている。コネクタ並列方向位置ずれ吸収機構Pは、コネクタ並列方向における、ベースコネクタ部分５Aとベースコネクタ部分５Bとの間の位置ずれを吸収する機構である。本実施形態では、ベースコネクタ部分５Aがコネクタ並列方向位置ずれ吸収機構Pとして機能するようになっている。一方、コンタクト並列方向位置ずれ吸収機構Qは、コンタクト並列方向における、ベースコネクタ部分５Aとベースコネクタ部分５Bとの間の位置ずれを吸収する機構である。本実施形態では、連結コネクタ部分６がコンタクト並列方向位置ずれ吸収機構Qとして機能するようになっている。
【００３３】
（ベースコネクタ部分５A）
次に、図２〜図９を参照しつつ、ベースコネクタ部分５Aの構成を説明する。
【００３４】
（ベースコネクタ部分５A：概要）
図２に示すように、ベースコネクタ部分５Aは、複数のベースコンタクト７と、複数のベースコンタクト７を保持するベースハウジング８と、一対のホールドダウン１１（補助金具）と、を備えている。
【００３５】
（ベースコネクタ部分５A：ベースハウジング８）
図３及び図４に示すように、ベースハウジング８は、ハウジング固定部１２（第１ハウジング固定部）とハウジング変位部１３（第１ハウジング変位部）を有している。ハウジング固定部１２は、バックライト基板１Aの素子搭載面２A（図１参照）に固定される。ハウジング変位部１３は、ハウジング固定部１２に対してコネクタ並列方向に相対変位可能である。詳しく言えば、ハウジング変位部１３は、ハウジング固定部１２に対してコネクタ並列方向にのみ相対変位可能である。
【００３６】
（ベースコネクタ部分５A：ホールドダウン１１）
図４に示すように、ハウジング固定部１２の中央離間方向の端部には、ホールドダウン取り付け溝１４が形成されている。図５（ａ）及び図５（ｂ）に示すように、ホールドダウン１１は、被圧入部１１ａと半田付け部１１ｂ、抜け止め部１１ｃ（変位規制部）によって構成されている。ホールドダウン１１は、板金折り曲げにより一体形成されている。被圧入部１１ａは、ハウジング固定部１２のホールドダウン取り付け溝１４（図４参照）に圧入される部分である。半田付け部１１ｂは、バックライト基板１Aの素子搭載面２A（図１参照）に形成された図示しないランドに半田付けされる部分である。半田付け部１１ｂは、被圧入部１１ａに対して直交する方向に延びている。抜け止め部１１ｃは、ハウジング変位部１３がハウジング固定部１２に対してコネクタ並列方向へ相対変位することは許容しつつ、ハウジング変位部１３がバックライト基板１Aから離れる方向へ変位してハウジング変位部１３がハウジング固定部１２から基板離間方向に抜けるのを防止するための部分である。抜け止め部１１ｃは、被圧入部１１ａに対し直交する方向に延びている。半田付け部１１ｂと抜け止め部１１ｃは、被圧入部１１ａを基準として反対方向に延びている。
【００３７】
そして、図５（ａ）等のホールドダウン１１を図４のベースハウジング８のハウジング固定部１２に取り付けた上で、図５（ｂ）のホールドダウン１１の半田付け部１１ｂを図１のバックライト基板１Aの素子搭載面２Aに半田付けすることで、ベースコネクタ部分５Aのベースハウジング８のハウジング固定部１２はバックライト基板１Aの素子搭載面２Aに対して固定される。即ち、ホールドダウン１１は、ベースコネクタ部分５Aのベースハウジング８のハウジング固定部１２をバックライト基板１Aに対して固定する機能を有している。
【００３８】
（ベースコネクタ部分５A：ベースハウジング８）
図３及び図４、図６に示すように、ベースハウジング８のハウジング固定部１２は、基板離間方向に開口する断面略U字状の箱型に形成されている。そして、ベースハウジング８のハウジング変位部１３は、ハウジング固定部１２内に収容されている。
【００３９】
（ベースコネクタ部分５A：ベースハウジング８：ハウジング固定部１２）
ベースハウジング８のハウジング固定部１２は、図６に示す底壁部１２ａ、第１長辺側壁部１２ｂ、第２長辺側壁部１２ｃ、図４に示す短辺側壁部１２ｄによって構成されている。
【００４０】
図６に示す底壁部１２ａは、バックライト基板１A（図１参照）に対して平行であり、バックライト基板１Aと対向する部分である。
【００４１】
図４及び図６に示す第１長辺側壁部１２ｂと第２長辺側壁部１２ｃは、コネクタ並列方向においてハウジング変位部１３を挟む位置に形成されている。第１長辺側壁部１２ｂは、ハウジング変位部１３から見てコネクタ反対向方向側に位置している。第２長辺側壁部１２ｃは、ハウジング変位部１３から見てコネクタ対向方向側に位置している。
【００４２】
図４に示すように、一対の短辺側壁部１２ｄは、コンタクト並列方向においてハウジング変位部１３を挟む位置に形成されている。図４に示すように、前述のホールドダウン取り付け溝１４は、ベースハウジング８のハウジング固定部１２の短辺側壁部１２ｄに形成されている。
【００４３】
図６に示すように、第１長辺側壁部１２ｂには、複数の固定側コンタクトスリット１２ｈがコンタクト並列方向に所定ピッチで形成されている。固定側コンタクトスリット１２ｈは、第１コンタクト圧入溝１２ｅと第１コンタクト挿入溝１２ｆ、第２コンタクト挿入溝１２ｇによって構成されている。第１コンタクト圧入溝１２ｅは、第１長辺側壁部１２ｂを基板直交方向に貫通して形成されている。ベースコンタクト７は、一部が第１コンタクト圧入溝１２ｅに圧入されることで、第１長辺側壁部１２ｂに固定されるようになっている。第１コンタクト挿入溝１２ｆは、第１長辺側壁部１２ｂのコネクタ反対向方向側の部分に形成される溝であって、コネクタ反対向方向に開口している。第２コンタクト挿入溝１２ｇは、第１長辺側壁部１２ｂの基板離間方向側の部分に形成される溝であって、基板離間方向に開口している。ベースコンタクト７は、一部が第１コンタクト挿入溝１２ｆや第２コンタクト挿入溝１２ｇに挿入される。
【００４４】
（ベースコネクタ部分５A：ベースハウジング８：ハウジング変位部１３）
図４及び図６に示すように、ベースハウジング８のハウジング変位部１３は、略直方体状に形成されている。ハウジング変位部１３には、連結溝１５と変位部側コンタクトスリット１６、位置決め孔１７が形成されている。
【００４５】
連結溝１５は、連結コネクタ部分６の連結ハウジング１０（図１参照）の一部が挿入される溝である。連結溝１５は、ハウジング変位部１３のコネクタ対向方向側の部分に形成されている。連結溝１５は、コンタクト並列方向に沿って延びている。
【００４６】
図６に示すように、変位部側コンタクトスリット１６は、第１コンタクト収容室１６ａと、第２コンタクト収容室１６ｂ（蛇腹部収容室）と、第２コンタクト圧入溝１６ｃと、に区画されている。
【００４７】
第１コンタクト収容室１６ａは、ベースコンタクト７の一部を収容する空間である。第１コンタクト収容室１６ａは、ベースハウジング８のハウジング変位部１３のコネクタ対向方向側の部分に形成されている。第１コンタクト収容室１６ａは、基板離間方向に開口している。第１コンタクト収容室１６ａは、図６に示す断面視に示すように、連結溝１５と接続している。第１コンタクト収容室１６ａと連結溝１５は、一部が重なって形成されている。第１コンタクト収容室１６ａと連結溝１５は、一部交差するように形成されている。第１コンタクト収容室１６ａと連結溝１５は、一部空間を共有している。
【００４８】
第２コンタクト収容室１６ｂは、ベースコンタクト７の一部を収容する空間である。第２コンタクト収容室１６ｂは、ベースハウジング８のハウジング変位部１３のコネクタ反対向方向側の部分に形成されている。第２コンタクト収容室１６ｂは、基板離間方向に開口している。
【００４９】
第２コンタクト圧入溝１６ｃは、コネクタ並列方向において、第１コンタクト収容室１６ａと第２コンタクト収容室１６ｂの間に形成されている。即ち、第２コンタクト圧入溝１６ｃは、ベースハウジング８のハウジング固定部１２の第１長辺側壁部１２ｂの第１コンタクト圧入溝１２ｅと、第２コンタクト収容室１６ｂを挟んで反対側に形成されている。第２コンタクト圧入溝１６ｃは、ベースハウジング８のハウジング変位部１３を基板直交方向に貫通して形成されている。ベースコンタクト７は、一部が第２コンタクト圧入溝１６ｃに圧入されることで、ハウジング変位部１３に固定される。
【００５０】
位置決め孔１７は、図４に示すように、ハウジング変位部１３の中央離間方向の端部１３ａに形成されている。位置決め孔１７は、基板離間方向に開口して形成されている。位置決め孔１７の開口縁には面取１７ａが形成されている。
【００５１】
（ベースコネクタ部分５A：ベースコンタクト７）
ベースコンタクト７は、図７に示すように、連結コネクタ把持部７ａ（第１コンタクト接続部）、弾性支持部７ｂ、ハウジング変位部被固定部７ｃ（第１コンタクト第２固定部）、蛇腹部７ｄ（第１コンタクト蛇腹部）、ハウジング固定部被固定部７ｅ、バックライト基板被固定部７ｆ（第１コンタクト第１固定部）、を主たる構成として有している。ベースコンタクト７は、本実施形態において板金打ち抜きにより一体形成されている。連結コネクタ把持部７ａ、弾性支持部７ｂ、ハウジング変位部被固定部７ｃ、蛇腹部７ｄ、ハウジング固定部被固定部７ｅ、バックライト基板被固定部７ｆは、コネクタ並列方向に沿って直列的に連なっている。
【００５２】
連結コネクタ把持部７ａは、連結コネクタ部分６の連結コンタクト９に接続されるものである。連結コネクタ把持部７ａは、基板離間方向に開口する略U字状に形成されている。連結コネクタ把持部７ａの基板離間方向側の端部には、対向する一対の爪部７ｇが形成されている。
【００５３】
弾性支持部７ｂは、ハウジング変位部被固定部７ｃに連結コネクタ把持部７ａを若干弾性的に支持させるものである。弾性支持部７ｂは、略U字状に形成されている。
【００５４】
ハウジング変位部被固定部７ｃは、ベースハウジング８のハウジング変位部１３に固定されるものである。ハウジング変位部被固定部７ｃは、基板近接方向に延びて形成されている。ハウジング変位部被固定部７ｃは、連結コネクタ把持部７ａと蛇腹部７ｄの間に配置されている。
【００５５】
蛇腹部７ｄは、バックライト基板被固定部７ｆと連結コネクタ把持部７ａとの間に介在され、コネクタ並列方向へ蛇腹状に折り重なって形成されている。
【００５６】
ハウジング固定部被固定部７ｅは、ベースハウジング８のハウジング固定部１２に固定されるものである。ハウジング固定部被固定部７ｅは、基板近接方向に延びて形成されている。
【００５７】
バックライト基板被固定部７ｆは、バックライト基板１Aの素子搭載面２A（図１参照）に固定されるものである。バックライト基板被固定部７ｆは、バックライト基板１Aの素子搭載面２Aに対して半田付けされる。
【００５８】
また、弾性支持部７ｂ、ハウジング変位部被固定部７ｃ、蛇腹部７ｄは、コネクタ並列方向に延びる第１腕部７ｈによって連結されている。蛇腹部７ｄ、ハウジング固定部被固定部７ｅは、コネクタ並列方向に延びる第２腕部７ｉによって連結されている。ハウジング固定部被固定部７ｅ、バックライト基板被固定部７ｆは、基板直交方向に延びる第３腕部７ｊによって連結されている。
【００５９】
そして、図７のベースコンタクト７は、図６のベースハウジング８に、図８及び図９に示すように取り付けられる。
【００６０】
即ち、図６のベースハウジング８のハウジング変位部１３の変位部側コンタクトスリット１６の第１コンタクト収容室１６ａに、図７のベースコンタクト７の連結コネクタ把持部７ａと弾性支持部７ｂが基板近接方向に挿入されて収容される。このとき、図７のベースコンタクト７の連結コネクタ把持部７ａの一対の爪部７ｇは、図６のベースハウジング８のハウジング変位部１３の連結溝１５をコネクタ並列方向に挟んでいる。
【００６１】
同様に、図６の変位部側コンタクトスリット１６の第２コンタクト圧入溝１６ｃに、図７のハウジング変位部被固定部７ｃが基板近接方向に圧入される。
【００６２】
図６の変位部側コンタクトスリット１６の第２コンタクト収容室１６ｂに、図７の蛇腹部７ｄが基板近接方向に挿入されて収容される。
【００６３】
図６のベースハウジング８のハウジング固定部１２の第１コンタクト圧入溝１２ｅに、図７のハウジング固定部被固定部７ｅが基板近接方向に圧入される。
【００６４】
この結果、図８及び図９に示すように、各ベースコンタクト７の蛇腹部７ｄ間は、ベースハウジング８のハウジング変位部１３の隔壁部１３ｂによって隔てられることになる。本実施形態において、この隔壁部１３ｂは、図８及び図９に示すように、蛇腹部７ｄがベースハウジング８から外部へ露出しないように形成されている。換言すれば、ベースハウジング８のハウジング変位部１３は、蛇腹部７ｄが如何にして変形しようともベースハウジング８のハウジング変位部１３から基板離間方向へ露出しないように、基板直交方向に十分に厚く形成されている。即ち、ベースハウジング８のハウジング変位部１３の隔壁部１３ｂは、基板直交方向に十分に高く形成されている。
【００６５】
なお、図９に示すように、バックライト基板１Aの素子搭載面２A（図１参照）に対して接触するベースコネクタ部分５Aの面としての基板搭載面５０は、ベースコネクタ部分５Aのホールドダウン１１の半田付け部１１ｂの下面と、ベースコネクタ部分５Aのベースコンタクト７のバックライト基板被固定部７ｆの下面と、に相当している。そして、本実施形態において、ベースコネクタ部分５Aの基板搭載面５０と、ベースコネクタ部分５Bの基板搭載面５０とは、ベースコネクタ部分５Aとベースコネクタ部分５Bを連結コネクタ部分６で連結した状態において、略同一平面内に存在するように調整されている。
【００６６】
（連結コネクタ部分６）
次に、図１０〜図１３を参照しつつ、連結コネクタ部分６の構成を説明する。
【００６７】
（連結コネクタ部分６：概要）
図１０及び図１１に示すように、連結コネクタ部分６は、複数の連結コンタクト９と、複数の連結コンタクト９を保持する連結ハウジング１０と、を備えている。
【００６８】
（連結コネクタ部分６：連結ハウジング１０）
連結ハウジング１０は、図１０及び図１１に示すように、天板１９と周壁部２０を有している。天板１９は、バックライト基板１Aの素子搭載面２A（図１参照）に対して平行である。周壁部２０は、天板１９の周縁から基板近接方向に若干突出して形成されている。そして、連結ハウジング１０は、図１に示すようにベースコネクタ部分５Aとベースコネクタ部分５Bとの間の隙間に対応するようにコネクタ並列方向で分割されている。即ち、連結ハウジング１０は、コネクタ並列方向に隣り合う第１連結ハウジング部分１０A（第１コネクタ部分側ハウジング）と第２連結ハウジング部分１０B（第２コネクタ部分側ハウジング）によって構成されている。
【００６９】
（連結コネクタ部分６：連結ハウジング１０：第１連結ハウジング部分１０A）
第１連結ハウジング部分１０Aは、図１に示すように、ベースコネクタ部分５A側に配置される部分である。図１０に示すように、第１連結ハウジング部分１０Aのコンタクト並列方向の端部２１の夫々には、中央離間方向と第２連結ハウジング部分１０Bに向かって開口する切り欠き２２が形成されている。図１１及び図１２に示すように、第１連結ハウジング部分１０Aのバックライト基板１A（図１参照）側の面としての第１連結ハウジング部分裏面２３には、一対の位置決め突起２４と、接触部支持梁２５、複数の連結部変形禁止溝２６、連結部変形許容溝２７が形成されている。接触部支持梁２５、複数の連結部変形禁止溝２６、連結部変形許容溝２７は、コネクタ対向方向に向かってこの順で形成されている。
【００７０】
図１１に示すように、各位置決め突起２４は、第１連結ハウジング部分１０Aの端部２１の近傍に形成されている。各位置決め突起２４は、基板近接方向に突出して形成されている。各位置決め突起２４の先端には、面取２４ａが形成されている。
【００７１】
図１２に示すように、接触部支持梁２５は、コンタクト並列方向に延びて形成されている。接触部支持梁２５には、連結コンタクト９の一部が挿入されるスリット２５ａが複数、形成されている。
【００７２】
各連結部変形禁止溝２６は、コネクタ並列方向に延びて形成されている。各連結部変形禁止溝２６は、接触部支持梁２５の各スリット２５ａと連なって形成されている。換言すれば、接触部支持梁２５の各スリット２５ａは連結部変形禁止溝２６に接続している。各連結部変形禁止溝２６は、各連結コンタクト９の一部を殆ど隙間なく収容可能に形成されている。各連結部変形禁止溝２６に収容された各連結コンタクト９の一部は、殆ど隙間なく収容されることで、各連結部変形禁止溝２６内で、コンタクト並列方向への撓み変形が禁止される。また、各連結部変形禁止溝２６には、図１０に示す一対の圧入孔２６ａが連なって形成されている。
【００７３】
連結部変形許容溝２７は、複数の連結部変形禁止溝２６と連なって形成されている。換言すれば、複数の連結部変形禁止溝２６は、連結部変形許容溝２７に接続している。連結部変形許容溝２７は、各連結コンタクト９の一部を収容可能に形成されている。連結部変形許容溝２７に収容された各連結コンタクト９の一部は、連結部変形許容溝２７内で、コンタクト並列方向への撓み変形が許容される。
【００７４】
（連結コネクタ部分６：連結ハウジング１０：第２連結ハウジング部分１０B）
第２連結ハウジング部分１０Bは、図１に示すように、ベースコネクタ部分５B側に配置される部分である。図１０に示すように、第２連結ハウジング部分１０Bのコンタクト並列方向の端部２８の夫々には、第１連結ハウジング部分１０Aに向かって突出する突出部２９が形成されている。第２連結ハウジング部分１０Bの各突出部２９は、第１連結ハウジング部分１０Aの各切り欠き２２内に収容される関係にある。第１連結ハウジング部分１０Aの各切り欠き２２と第２連結ハウジング部分１０Bの各突出部２９は、コンタクト並列方向において対向している。第２連結ハウジング部分１０Bの一対の突出部２９は、コンタクト並列方向において、第１連結ハウジング部分１０Aの天板１９を挟んでいる。従って、第１連結ハウジング部分１０Aと第２連結ハウジング部分１０Bのコンタクト並列方向における相対的な変位は所定範囲内で制限されることになる。即ち、連結コネクタ部分６の連結ハウジング１０は、第１連結ハウジング部分１０Aと第２連結ハウジング部分１０Bのコンタクト並列方向における相対的な変位を所定範囲内で制限する制限機構Rを備えている。本実施形態において制限機構Rは、第１連結ハウジング部分１０Aの各切り欠き２２と、第２連結ハウジング部分１０Bの各突出部２９によって実現されている。
【００７５】
第２連結ハウジング部分１０Bは、上記の構成を除いて、第１連結ハウジング部分１０Aと線対称に構成されている。即ち、第１連結ハウジング部分１０Aと第２連結ハウジング部分１０Bは、コネクタ並列方向において線対称である。従って、第２連結ハウジング部分１０Bの構成のうち、第１連結ハウジング部分１０Aと共通する部分については、説明を省略する。必要であれば、図１や図１０〜図１２を参照されたい。
【００７６】
（連結コネクタ部分６：連結コンタクト９）
図１３に示すように、連結コネクタ部分６の各連結コンタクト９は、ベースコネクタ部分５Aの各ベースコンタクト７と、ベースコネクタ部分５Bの各ベースコンタクト７を接続するためのものである。連結コネクタ部分６の各連結コンタクト９は、第１固定部３０A（第３コンタクト第１固定部）、第２固定部３０B（第３コンタクト第２固定部）、連結部３１（第３コンタクト連結部）、第１接続部３２A、第２接続部３２Bから構成されている。連結コネクタ部分６の各連結コンタクト９は、一体形成されている。詳しくは、第１固定部３０A、第２固定部３０B、連結部３１は板金打ち抜き加工により、第１接続部３２A、第２接続部３２Bは板金折り曲げ加工により形成されている。
【００７７】
第１固定部３０Aは、連結コネクタ部分６の連結ハウジング１０の第１連結ハウジング部分１０Aに固定されるものである。第１固定部３０Aは、一対の被圧入部３３と、一対の被圧入部３３を連結する連結部３４と、から構成されている。連結部３４は、コネクタ並列方向に延びている。一対の被圧入部３３は、連結部３４に対して接続し、連結部３４から基板離間方向に突出して形成されている。
【００７８】
第２固定部３０Bは、連結コネクタ部分６の連結ハウジング１０の第２連結ハウジング部分１０Bに固定されるものである。第２固定部３０Bも、第１固定部３０Aと同様に、一対の被圧入部３３と、一対の被圧入部３３を連結する連結部３４と、から構成されている。連結部３４は、コネクタ並列方向に延びている。一対の被圧入部３３は、連結部３４に対して接続し、連結部３４から基板離間方向に突出して形成されている。
【００７９】
連結部３１は、第１固定部３０Aと第２固定部３０Bを連結するものである。連結部３１は、コネクタ並列方向に延びている。第１固定部３０Aの連結部３４と、連結部３１と、第２固定部３０Bの連結部３４と、は一直線状に形成されている。連結部３１は、前述したように板状である。そして、連結部３１の板厚方向Tは、コンタクト並列方向に対して実質的に平行となっている。
【００８０】
第１接続部３２Aは、図８に示すベースコネクタ部分５Aのベースコンタクト７の連結コネクタ把持部７ａに対する接続が行われる部分である。図１３に示すように、第１接続部３２Aは、第１固定部３０Aの連結部３４に対して接続し、連結部３４から基板近接方向に突出して形成されている。第１接続部３２Aは、図１２に示す第１連結ハウジング部分１０Aの接触部支持梁２５のスリット２５ａに一部が挿入可能となっている。
【００８１】
第２接続部３２Bは、ベースコネクタ部分５Bのベースコンタクト７の連結コネクタ把持部７ａに対する接続が行われる部分である（図８を併せて参照）。図１３に示すように、第２接続部３２Bは、第２固定部３０Bの連結部３４に対して接続し、連結部３４から基板近接方向に突出して形成されている。第２接続部３２Bは、図１２に示す第２連結ハウジング部分１０Bの接触部支持梁２５のスリット２５ａに一部が挿入可能となっている。
【００８２】
そして、図１３に示す連結コンタクト９は、図１０及び図１１に示す連結ハウジング１０の第１連結ハウジング部分１０A及び第２連結ハウジング部分１０Bに対して、図１２に示すように取り付けられる。
【００８３】
即ち、図１３に示す連結コンタクト９の第１固定部３０Aの各被圧入部３３が、図１０の第１連結ハウジング部分１０Aの圧入孔２６ａに圧入される。同様に、図１３に示す連結コンタクト９の第２固定部３０Bの各被圧入部３３が、図１０の第２連結ハウジング部分１０Bの圧入孔２６ａに圧入される。
【００８４】
これと同時に、図１３に示す連結コンタクト９の各連結部３４が図１２に示す第１連結ハウジング部分１０Aの連結部変形禁止溝２６と、第２連結ハウジング部分１０Bの連結部変形禁止溝２６に夫々挿入される。また、図１３に示す連結コンタクト９の第１接続部３２Aの一部が図１２に示す第１連結ハウジング部分１０Aの接触部支持梁２５のスリット２５ａに挿入される。同様に、図１３に示す連結コンタクト９の第２接続部３２Bの一部が図１２に示す第２連結ハウジング部分１０Bの接触部支持梁２５のスリット２５ａに挿入される。
【００８５】
この結果、図１３に示す連結コンタクト９の第１固定部３０Aは、図１２に示す第１連結ハウジング部分１０Aに対して固定される。図１３に示す連結コンタクト９の第１固定部３０Aの連結部３４は、図１２に示す第１連結ハウジング部分１０Aの連結部変形禁止溝２６内に収容されることで、コンタクト並列方向への撓み変形は禁止される。
【００８６】
同様に、図１３に示す連結コンタクト９の第２固定部３０Bは、図１２に示す第２連結ハウジング部分１０Bに対して固定される。図１３に示す連結コンタクト９の第２固定部３０Bの連結部３４は、図１２に示す第２連結ハウジング部分１０Bの連結部変形禁止溝２６内に収容されることで、コンタクト並列方向への撓み変形は禁止される。
【００８７】
一方で、図１３に示す連結コンタクト９の連結部３１は、図１２に示す第１連結ハウジング部分１０Aの連結部変形許容溝２７と、第２連結ハウジング部分１０Bの連結部変形許容溝２７内に収容される。連結部変形許容溝２７は、コンタクト並列方向に延びて形成されているので、連結コンタクト９の連結部３１は、コンタクト並列方向への撓み変形が許容される。
【００８８】
（基板対基板用コネクタ４の取り付け方法）
次に、図１等を参照しつつ、基板対基板用コネクタ４の取り付け方法を説明する。
【００８９】
先ず、図１に示すようにベースコネクタ部分５Aをバックライト基板１Aに取り付ける。詳しくは、図３に示すベースコンタクト７のバックライト基板被固定部７ｆをバックライト基板１Aの素子搭載面２A（図１参照）のランドに対して半田付けする。同様に、図３に示すホールドダウン１１の半田付け部１１ｂをバックライト基板１Aの素子搭載面２A（図１参照）のランドに対して半田付けする。
【００９０】
同様にして、図１に示すように、ベースコネクタ部分５Bをバックライト基板１Bに取り付ける。
【００９１】
次に、ベースコネクタ部分５Aとベースコネクタ部分５Bを連結コネクタ部分６で連結する。詳しくは、図１１に示す連結コネクタ部分６の連結ハウジング１０の第１連結ハウジング部分１０Aの各位置決め突起２４の面取２４ａを、図３に示すベースコネクタ部分５Aのベースハウジング８のハウジング変位部１３の各位置決め孔１７の面取１７ａに夫々接触させる。同様に、図１１に示す連結コネクタ部分６の連結ハウジング１０の第２連結ハウジング部分１０Bの各位置決め突起２４の面取２４ａを、ベースコネクタ部分５Bのベースハウジング８のハウジング変位部１３の各位置決め孔１７の面取１７ａに夫々接触させる（図３を併せて参照）。
【００９２】
この状態で、連結コネクタ部分６を基板近接方向に強く押し込む。すると、各位置決め突起２４の面取２４ａと、各位置決め孔１７の面取１７ａと、の相互作用により、各位置決め突起２４と各位置決め孔１７が同軸上に並ぼうとする。
【００９３】
（コネクタ並列方向位置ずれ吸収機構Pの作動）
このとき、仮に、連結コネクタ部分６によるベースコネクタ部分５Aとベースコネクタ部分５Bの連結の前に、ベースコネクタ部分５Aとベースコネクタ部分５Bの間に、コネクタ並列方向の位置ずれが存在していたとする。
【００９４】
これに対し、図９に示すように、ベースコネクタ部分５A（又はベースコネクタ部分５B、以下同様。）のベースハウジング８のハウジング変位部１３は、ハウジング固定部１２に対してコネクタ並列方向に相対変位可能に構成されている。従って、ベースコネクタ部分５Aは、上記のコネクタ並列方向の位置ずれを、ベースコネクタ部分５Aのベースハウジング８のハウジング変位部１３のハウジング固定部１２に対する相対変位によって吸収することができる。それ故、上記のコネクタ並列方向の位置ずれが存在していたとしても、各位置決め突起２４の面取２４ａと、各位置決め孔１７の面取１７ａと、の相互作用により、各位置決め突起２４と各位置決め孔１７は同軸上に揃うことができるようになっている。そして、図１２に示す連結コネクタ部分６の連結ハウジング１０の第１連結ハウジング部分１０Aの接触部支持梁２５が、図４に示すベースコネクタ部分５Aのベースハウジング８のハウジング変位部１３の連結溝１５へ、問題なく挿入されることになる。この結果、図１２に示す連結コネクタ部分６の各連結コンタクト９の第１接続部３２Aが、図８に示すベースコネクタ部分５Aの各ベースコンタクト７の連結コネクタ把持部７ａに対して、夫々接続される。なお、図１２に示す連結コネクタ部分６の各連結コンタクト９の第１接続部３２Aと、図８に示すベースコネクタ部分５Aの各ベースコンタクト７の連結コネクタ把持部７ａとの接続形態には、第１接続部３２Aと連結コネクタ把持部７ａの相互間の相対変位を禁止する所謂リジド接続が採用されている。
【００９５】
本実施形態において、コネクタ並列方向位置ずれ吸収機構Pは、図９に示すように、ベースコンタクト７の連結コネクタ把持部７ａと、蛇腹部７ｄと、バックライト基板被固定部７ｆを少なくとも備えて実現されている。
【００９６】
また、本実施形態において、ベースコネクタ部分５Aの各ベースコンタクト７と、連結コネクタ部分６の各連結コンタクト９と、を接続するに際し、連結コネクタ部分６の各連結コンタクト９を、ベースコネクタ部分５Aの各ベースコンタクト７に対して位置決めするための位置決め機構は、図１１に示す連結コネクタ部分６の連結ハウジング１０の第１連結ハウジング部分１０Aの各位置決め突起２４と、図３に示すベースコネクタ部分５Aのベースハウジング８のハウジング変位部１３の位置決め孔１７と、を少なくとも含んで実現されている。
【００９７】
ベースコネクタ部分５Aとベースコネクタ部分５Bとの間のコネクタ並列方向の位置ずれをコネクタ並列方向位置ずれ吸収機構Pが吸収する様子を図１４（ａ）及び図１４（ｂ）に示す。図１４（ｂ）には、図１４（ａ）の状態から、ベースハウジング８のハウジング変位部１３がハウジング固定部１２に対してコネクタ反対向方向へ相対変位すると共に、蛇腹部７ｄがコネクタ並列方向において圧縮している様子を示している。
【００９８】
ところで、仮に、連結コネクタ部分６によるベースコネクタ部分５Aとベースコネクタ部分５Bの連結の後に、ベースコネクタ部分５Aとベースコネクタ部分５Bの間に、コネクタ並列方向の位置ずれが新たに発生したとする。この発生の主因としては、図１に示すバックライト基板１Aの素子搭載面２Aやバックライト基板１Bの素子搭載面２Bに搭載された多数の発光素子３の発熱により、バックライト基板１Aやバックライト基板１B自体がコネクタ並列方向に熱膨張することが挙げられる。これに対し、本実施形態では、バックライト基板１Aやバックライト基板１B自体のコネクタ並列方向における熱膨張乃至熱収縮が発生したとしても、ベースコネクタ部分５Aが上述したコネクタ並列方向位置ずれ吸収機構Pとして機能するので、基板対基板用コネクタ４が破損することがない。
【００９９】
（コンタクト並列方向位置ずれ吸収機構Qの作動）
同様に、仮に、連結コネクタ部分６によるベースコネクタ部分５Aとベースコネクタ部分５Bの連結の前に、ベースコネクタ部分５Aとベースコネクタ部分５Bの間に、コンタクト並列方向の位置ずれが存在していたとする。
【０１００】
これに対し、図１２に示すように、連結コネクタ部分６の連結ハウジング１０の第１連結ハウジング部分１０Aと第２連結ハウジング部分１０Bは、各連結コンタクト９の連結部３１の撓み変形を伴って、相互に、コンタクト並列方向に相対変位可能に構成されている。従って、連結コネクタ部分６は、上記のコンタクト並列方向の位置ずれを、連結コネクタ部分６の連結ハウジング１０の第１連結ハウジング部分１０Aの、第２連結ハウジング部分１０Bに対する相対変位によって吸収することができる。それ故、上記のコンタクト並列方向の位置ずれが存在していたとしても、各位置決め突起２４の面取２４ａと、各位置決め孔１７の面取１７ａと、の相互作用により、各位置決め突起２４と各位置決め孔１７は同軸上に揃うことができるようになっている。そして、図１２に示す連結コネクタ部分６の連結ハウジング１０の第１連結ハウジング部分１０Aの接触部支持梁２５が、図４に示すベースコネクタ部分５Aのベースハウジング８のハウジング変位部１３の連結溝１５へ、問題なく挿入されることになる。この結果、図１２に示す連結コネクタ部分６の各連結コンタクト９の第１接続部３２Aが、図８に示すベースコネクタ部分５Aの各ベースコンタクト７の連結コネクタ把持部７ａに対して、夫々接続される。
【０１０１】
本実施形態において、コンタクト並列方向位置ずれ吸収機構Qは、図１３に示すように、連結コネクタ部分６の連結コンタクト９の第１接続部３２Aと、連結部３１と、第２接続部３２Bと、を少なくとも備えて実現されている。
【０１０２】
ベースコネクタ部分５Aとベースコネクタ部分５Bとの間のコンタクト並列方向の位置ずれをコンタクト並列方向位置ずれ吸収機構Qが吸収する様子を図１５（ａ）及び図１５（ｂ）に示す。図１５（ｂ）には、図１５（ａ）の状態から、連結コネクタ部分６の第１連結ハウジング部分１０Aが第２連結ハウジング部分１０Bに対してコンタクト並列方向へ相対変位すると共に、連結部３１がコンタクト並列方向において撓み変形している様子を示している。
【０１０３】
ところで、仮に、連結コネクタ部分６によるベースコネクタ部分５Aとベースコネクタ部分５Bの連結の後に、ベースコネクタ部分５Aとベースコネクタ部分５Bの間に、コンタクト並列方向の位置ずれが新たに発生したとする。この発生の主因としては、図１に示すバックライト基板１Aの素子搭載面２Aやバックライト基板１Bの素子搭載面２Bに搭載された多数の発光素子３の発熱により、バックライト基板１Aやバックライト基板１B自体がコンタクト並列方向に熱膨張することが挙げられる。これに対し、本実施形態では、バックライト基板１Aやバックライト基板１B自体のコンタクト並列方向における熱膨張乃至熱収縮が発生したとしても、連結コネクタ部分６が上述したコンタクト並列方向位置ずれ吸収機構Qとして機能するので、基板対基板用コネクタ４が破損することがない。
【０１０４】
以上に、本願発明の好適な第１実施形態を説明した。上記の第１実施形態は、要するに、以下の特長を有している。
【０１０５】
基板対基板用コネクタ４は、ベースコネクタ部分５A（第１コネクタ部分）と、ベースコネクタ部分５B（第２コネクタ部分）と、連結コネクタ部分６（第３コネクタ部分）と、を備えている。ベースコネクタ部分５Aは、複数のベースコンタクト７（第１コンタクト）と、複数のベースコンタクト７を保持するベースハウジング８（第１ハウジング）と、を有し、バックライト基板１A（第１基板）に搭載される。ベースコネクタ部分５Bは、複数のベースコンタクト７（第２コンタクト）と、複数のベースコンタクト７（第２コンタクト）を保持するベースハウジング８（第２ハウジング）と、を有し、バックライト基板１B（第２基板）に搭載される。連結コネクタ部分６は、ベースコネクタ部分５Aの複数のベースコンタクト７とベースコネクタ部分５Bの複数のベースコンタクト７を夫々接続するための複数の連結コンタクト９（第３コンタクト）と、複数の連結コンタクト９を保持する連結ハウジング１０（第３ハウジング）と、を有する。基板対基板用コネクタ４は、コネクタ並列方向位置ずれ吸収機構P（第１位置ずれ吸収手段）と、コンタクト並列方向位置ずれ吸収機構Q（第２位置ずれ吸収手段）を更に備える。コネクタ並列方向位置ずれ吸収機構Pは、ベースコネクタ部分５Aとベースコネクタ部分５Bが並べられる方向としてのコネクタ並列方向（第１方向）における、ベースコネクタ部分５Aとベースコネクタ部分５Bとの間の位置ずれを吸収する。コンタクト並列方向位置ずれ吸収機構Qは、連結コネクタ部分６の複数の連結コンタクト９が並べられる方向としてのコンタクト並列方向（第２方向）における、ベースコネクタ部分５Aとベースコネクタ部分５Bとの間の位置ずれを吸収する。以上の構成によれば、ベースコネクタ部分５Aとベースコネクタ部分５Bとの間における、コネクタ並列方向の位置ずれとコンタクト並列方向の位置ずれを同時に吸収することができ、もって、一層融通の効く基板対基板用コネクタ４が実現される。
【０１０６】
また、上記第１実施形態では、ベースコネクタ部分５Aがコネクタ並列方向位置ずれ吸収機構Pとして機能し、連結コネクタ部分６がコンタクト並列方向位置ずれ吸収機構Qとして機能している。要するに、コネクタ並列方向位置ずれ吸収機構Pやコンタクト並列方向位置ずれ吸収機構Qとしての役割をベースコネクタ部分５Aと連結コネクタ部分６に分担させている。以上の構成によれば、コネクタ並列方向位置ずれ吸収機構P及びコンタクト並列方向位置ずれ吸収機構Qとしての役割を分担させることなく、ベースコネクタ部分５Aあるいは連結コネクタ部分６の一方のみに担わせる構成と比較して、簡素な構造が実現される。
【０１０７】
なお、上記第１実施形態では、ベースコネクタ部分５Aがコネクタ並列方向位置ずれ吸収機構Pとして機能し、連結コネクタ部分６がコンタクト並列方向位置ずれ吸収機構Qとして機能しているとしたが、これに代えて、ベースコネクタ部分５Aがコンタクト並列方向位置ずれ吸収機構Qとして機能し、連結コネクタ部分６がコネクタ並列方向位置ずれ吸収機構Pとして機能するように構成してもよい。
【０１０８】
また、連結コネクタ部分６の連結ハウジング１０は、ベースコネクタ部分５A側に配置される第１連結ハウジング部分１０A（第１コネクタ部分側ハウジング）と、ベースコネクタ部分５B側に配置される第２連結ハウジング部分１０B（第２コネクタ部分側ハウジング）と、を有する。連結コネクタ部分６の各連結コンタクト９は、第１連結ハウジング部分１０Aに固定される第１固定部３０A（第３コンタクト第１固定部）と、第２連結ハウジング部分１０Bに固定される第２固定部３０B（第３コンタクト第２固定部）と、第１固定部３０Aと第２固定部３０Bを連結する連結部３１（第３コンタクト連結部）と、を有する。連結コネクタ部分６の各連結コンタクト９の連結部３１は板状である。連結コネクタ部分６の各連結コンタクト９の連結部３１の板厚方向Tは、コンタクト並列方向に対して実質的に平行である。以上の構成によれば、連結コネクタ部分６の連結ハウジング１０の第１連結ハウジング部分１０Aと第２連結ハウジング部分１０Bがコンタクト並列方向において円滑に相対変位可能となり、もって、連結コネクタ部分６がコンタクト並列方向位置ずれ吸収機構Qとして問題なく機能するようになる。
【０１０９】
また、連結コネクタ部分６の連結ハウジング１０は、第１連結ハウジング部分１０Aと第２連結ハウジング部分１０Bのコンタクト並列方向における相対的な変位を所定範囲内に制限する制限機構Rを備えている。以上の構成によれば、連結コネクタ部分６の各連結コンタクト９が過度に変形してしまうのを防止することができる。
【０１１０】
また、ベースコネクタ部分５Aの各ベースコンタクト７は、バックライト基板１Aに固定されるバックライト基板被固定部７ｆ（第１コンタクト第１固定部）と、連結コネクタ部分６の各連結コンタクト９に接続される連結コネクタ把持部７ａ（第１コンタクト接続部）と、バックライト基板被固定部７ｆと連結コネクタ把持部７ａとの間に介在され、コネクタ並列方向へ蛇腹状に折り重なって形成される蛇腹部７ｄ（第１コンタクト蛇腹部）と、を有する。以上の構成によれば、ベースコネクタ部分５Aの各ベースコンタクト７のバックライト基板被固定部７ｆに対して、連結コネクタ把持部７ａが、コネクタ並列方向において相対的に変位可能な範囲である変位可能範囲を大きく確保することが可能となる。従って、以上の構成によれば、ベースコネクタ部分５Aとベースコネクタ部分５Bとの間におけるコネクタ並列方向の大きな位置ずれを吸収することができ、もって、ベースコネクタ部分５Aがコネクタ並列方向位置ずれ吸収機構Pとして問題なく機能するようになる。
【０１１１】
また、連結コネクタ把持部７ａとバックライト基板被固定部７ｆとの間に蛇腹部７ｄを上記の通り介在させたことで、単純に考えると、連結コネクタ把持部７ａは蛇腹部７ｄの変形に伴って姿勢が変わり易くなると言える。連結コネクタ把持部７ａの姿勢が変わると、連結コネクタ把持部７ａと連結コネクタ部分６の連結コンタクト９との間の接続が不安定となる。これに対し、ベースコネクタ部分５Aのベースハウジング８は、バックライト基板１Aに固定されるハウジング固定部１２（第１ハウジング固定部）と、ハウジング固定部１２に対してコネクタ並列方向に相対変位可能なハウジング変位部１３（第１ハウジング変位部）と、を有する。ベースコネクタ部分５Aの各ベースコンタクト７は、ハウジング変位部１３に固定されるハウジング変位部被固定部７ｃ（第１コンタクト第２固定部）を有する。ハウジング変位部被固定部７ｃは、連結コネクタ把持部７ａと蛇腹部７ｄの間に配置されている。以上の構成によれば、蛇腹部７ｄの変形によっては、連結コネクタ把持部７ａの姿勢が変わることはない。従って、以上の構成によれば、連結コネクタ把持部７ａと、連結コンタクト９との間の安定した接続が実現される。
【０１１２】
また、ベースコネクタ部分５Aのベースハウジング８には、ベースコネクタ部分５Aの各ベースコンタクト７の蛇腹部７ｄを収容する第２コンタクト収容室１６ｂ（蛇腹部収容室）が形成されている。以上の構成によれば、蛇腹部７ｄの意図しない方向への変形を抑制することができる。
【０１１３】
また、図９に示すように、第２コンタクト収容室１６ｂは、ベースコネクタ部分５Aのベースハウジング８のハウジング変位部１３に形成されている。このように、第２コンタクト収容室１６ｂをベースコネクタ部分５Aのベースハウジング８のハウジング固定部１２ではなく、ハウジング変位部１３に形成したことで、第１に、ハウジング変位部被固定部７ｃがベースハウジング８のハウジング変位部１３のコネクタ並列方向における略中央に位置することになる。ハウジング変位部被固定部７ｃがベースハウジング８のハウジング変位部１３のコネクタ並列方向における略中央に位置することで、ベースハウジング８のハウジング変位部１３がハウジング固定部１２内で一層円滑にコネクタ並列方向にスライドすることができるようになる。また、第２に、ベースハウジング８全体をコネクタ並列方向でコンパクトにすることができる。即ち、第２コンタクト収容室１６ｂをベースコネクタ部分５Aのベースハウジング８のハウジング固定部１２に形成した場合であっても、ベースハウジング８のハウジング変位部１３に適宜肉付けすれば、とりあえずは、ハウジング変位部被固定部７ｃはベースハウジング８のハウジング変位部１３のコネクタ並列方向における略中央に位置することになる。しかし、この肉付けは、ベースハウジング８全体のコネクタ並列方向におけるコンパクト化を阻害するものである。このような事情を踏まえ、第２コンタクト収容室１６ｂをベースコネクタ部分５Aのベースハウジング８のハウジング変位部１３に形成すると、ベースハウジング８全体をコネクタ並列方向でコンパクトにすることができると言うことができる。
【０１１４】
ただし、一つのバリエーションとしては、第２コンタクト収容室１６ｂをベースコネクタ部分５Aのベースハウジング８のハウジング固定部１２に形成することは認められる。
【０１１５】
また、ベースコネクタ部分５Aは、ベースコネクタ部分５Aのベースハウジング８のハウジング固定部１２をバックライト基板１Aに対して固定するためのホールドダウン１１（補助金具）を更に備える。ホールドダウン１１は、ベースコネクタ部分５Aのベースハウジング８のハウジング変位部１３がバックライト基板１Aから離れる方向へ変位するのを防止する抜け止め部１１ｃ（変位規制部）を有する。以上の構成によれば、専用抜け止め部品が不要になり、部品点数の削減に寄与する。
【０１１６】
また、ベースコネクタ部分５Aのベースハウジング８には、ベースコネクタ部分５Aの各ベースコンタクト７の蛇腹部７ｄ間を隔てる隔壁部１３ｂ（第１ハウジング隔壁部）が形成されている。以上の構成によれば、ベースコネクタ部分５Aの各ベースコンタクト７の蛇腹部７ｄ間の意図しない短絡を防止することができる。また、隔壁部１３ｂは、ベースコネクタ部分５Aの各ベースコンタクト７の蛇腹部７ｄのコンタクト並列方向への変形を阻害することになるが、連結コネクタ部分６がコンタクト並列方向位置ずれ吸収機構Qとして機能するようになっているので、もはや、ベースコネクタ部分５Aの各ベースコンタクト７の蛇腹部７ｄのコンタクト並列方向への変形は不要である。従って、上記の変形の阻害が問題となることはない。
【０１１７】
また、各隔壁部１３ｂは、ベースコネクタ部分５Aの各ベースコンタクト７の蛇腹部７ｄがベースコネクタ部分５Aのベースハウジング８から外部へ露出しないように形成されている。以上の構成によれば、ベースコネクタ部分５Aの各ベースコンタクト７の蛇腹部７ｄ間の意図しない短絡を一層確実に防止することができる。
【０１１８】
また、ベースコネクタ部分５Aの各ベースコンタクト７と、連結コネクタ部分６の各連結コンタクト９との接続形態として、相互間の相対変位を禁止するリジド接続が採用されている。以上の構成によれば、バックライト基板１Aとバックライト基板１Bが相対的に繰り返し変位しても、各ベースコンタクト７と各連結コンタクト９の接点は擦れ合うことなく常に同じ位置となるので、各ベースコンタクト７と各連結コンタクト９との間の接触安定性を長期間、維持することができる。
【０１１９】
また、ベースコネクタ部分５Aの各ベースコンタクト７と、連結コネクタ部分６の各連結コンタクト９と、を接続するに際し、連結コネクタ部分６の各連結コンタクト９を、ベースコネクタ部分５Aの各ベースコンタクト７に対して位置決めするための位置決め機構（位置決め突起２４や位置決め孔１７）を更に備えた。以上の構成によれば、各連結コンタクト９を各ベースコンタクト７に対して円滑に接続することが可能となる。
【０１２０】
また、バックライト基板１Aに対して接触するベースコネクタ部分５Aの面としての基板搭載面５０（第１基板搭載面）と、バックライト基板１Bに対して接触するベースコネクタ部分５Bの面としての基板搭載面５０（第２基板搭載面）とは、ベースコネクタ部分５Aとベースコネクタ部分５Bを連結コネクタ部分６で連結した状態において、略同一平面内に存在する。以上の構成によれば、素子搭載面２A及び素子搭載面２B（コネクタ搭載面）が略同一平面内となるように並べられた２つの基板（バックライト基板１A、バックライト基板１B）間の接続に上記の基板対基板用コネクタ４を使用することができる。
【０１２１】
上記の第１実施形態は、例えば、以下のように変更することができる。
【０１２２】
２方向の位置ずれの範囲がベースコネクタ部分５Aと連結コネクタ部分６の協働によって実現できるのであれば、ベースコネクタ部分５Bは、必ずしも、蛇腹部７ｄやハウジング変位部１３を備えなければならないわけではない。
【０１２３】
バックライト基板としてコネクタ搭載基板を説明しているが、基板対基板用コネクタが使用されるいかなる基板にも適用可能であり、LEDのような発熱部品が搭載される基板であれば、より効果を発揮できる。
【０１２４】
（第２実施形態）
次に、図１６を参照しつつ、本願発明の第２実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【０１２５】
本実施形態において、連結コネクタ部分６の連結ハウジング１０の第１連結ハウジング部分１０Aの一方の端部２１にはコネクタ対向方向へ突出する第１突出部４０が形成されており、他方の端部２１には、コネクタ反対向方向へ窪んだ第１凹部４１が形成されている。同様に、連結コネクタ部分６の連結ハウジング１０の第２連結ハウジング部分１０Bの一方の端部２８にはコネクタ反対向方向に窪んだ第２凹部４２が形成されており、他方の端部２８にはコネクタ対向方向へ突出する第２突出部４３が形成されている。そして、第１連結ハウジング部分１０Aの第１突出部４０は、第２連結ハウジング部分１０Bの第２凹部４２に収容される。第２連結ハウジング部分１０Bの第２突出部４３は、第１連結ハウジング部分１０Aの第１凹部４１に収容される。本実施形態において、第１連結ハウジング部分１０Aと第２連結ハウジング部分１０Bのコンタクト並列方向における相対的な変位を所定範囲内で制限する制限機構Rは、第１突出部４０、第１凹部４１、第２凹部４２、第２突出部４３によって実現されている。特筆すべきは、上記の構成を採用することにより、第１連結ハウジング部分１０Aと第２連結ハウジング部分１０Bを同じ金型を用いて形成することが可能となる点である。これは、製造コストの低減に寄与する。
【０１２６】
このようにコンタクト並列方向の両方向の移動を規制できれば良いので、一箇所の凸凹でもよい。
【０１２７】
（第３実施形態）
次に、図１７を参照しつつ、本願発明の第３実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【０１２８】
上記第１実施形態においてベースコンタクト７は、板金打ち抜きにより形成することとした。しかし、これに代えて、図１７に示すように、ベースコンタクト７は、板金折り曲げによって形成してもよい。
【符号の説明】
【０１２９】
１A  バックライト基板（第１基板）
１B  バックライト基板（第２基板）
２A  素子搭載面（コネクタ搭載面）
２B  素子搭載面（コネクタ搭載面）
４  基板対基板用コネクタ
５A  ベースコネクタ部分（第１コネクタ部分）
５B  ベースコネクタ部分（第２コネクタ部分）
６  連結コネクタ部分（第３コネクタ部分）
７  ベースコンタクト（第１コンタクト、第２コンタクト）
７ａ  連結コネクタ把持部（第１コンタクト接続部）
７ｃ  ハウジング変位部被固定部（第１コンタクト第２固定部）
７ｄ  蛇腹部（第１コンタクト蛇腹部）
７ｆ  バックライト基板被固定部（第１コンタクト第１固定部）
８  ベースハウジング（第１ハウジング、第２ハウジング）
９  連結コンタクト（第３コンタクト）
１０  連結ハウジング（第３ハウジング）
１０A  第１連結ハウジング部分（第１コネクタ部分側ハウジング）
１０B  第２連結ハウジング部分（第２コネクタ部分側ハウジング）
１１  ホールドダウン（補助金具）
１１ｃ  抜け止め部（変位規制部）
１２  ハウジング固定部（第１ハウジング固定部）
１３  ハウジング変位部（第１ハウジング変位部）
１３ｂ  隔壁部（第１ハウジング隔壁部）
１６ｂ  第２コンタクト収容室（蛇腹部収容室）
１７  位置決め孔（位置決め機構の一部）
２４  位置決め突起（位置決め機構の一部）
３０A  第１固定部（第３コンタクト第１固定部）
３０B  第２固定部（第３コンタクト第２固定部）
３１  連結部（第３コンタクト連結部）
５０  基板搭載面（第１基板搭載面、第２基板搭載面）
P  コネクタ並列方向位置ずれ吸収機構（第１位置ずれ吸収手段）
Q  コンタクト並列方向位置ずれ吸収機構（第２位置ずれ吸収手段）
T  板厚方向
R  制限機構
【図１】
0005615118.tif 000002
【図２】
0005615118.tif 000003
【図３】
0005615118.tif 000004
【図４】
0005615118.tif 000005
【図５】
0005615118.tif 000006
【図６】
0005615118.tif 000007
【図７】
0005615118.tif 000008
【図８】
0005615118.tif 000009
【図９】
0005615118.tif 000010
【図１０】
0005615118.tif 000011
【図１１】
0005615118.tif 000012
【図１２】
0005615118.tif 000013
【図１３】
0005615118.tif 000014
【図１４】
0005615118.tif 000015
【図１５】
0005615118.tif 000016
【図１６】
0005615118.tif 000017
【図１７】
0005615118.tif 000018
【図１８】
0005615118.tif 000019
【図１９】
0005615118.tif 000020